(57)【要約】【課題】携帯式プリンターを携帯して出発する前に印字ヘッド（サーマルヘッド２２）のチェックを確実に行い、印字ヘッド２２の不具合による印字作業に支障がないようにした携帯式プリンターのヘッドチェック装置およびヘッドチェック方法を提供すること。【解決手段】充電バッテリー８に充電するためのＡＣアダプター３１の接続および切断、あるいは充電バッテリー８への充電状態を検知して、印字ヘッド２２のチェックを実行することに着目し、外部電源に接続して充電バッテリー８に充電するためのＡＣアダプター３１を接続するアダプター接続端子１０と、アダプター接続端子１０へのＡＣアダプター３１の接続および切断を検知する制御部１３と、を設け、制御部１３は、アダプター接続端子１０からのＡＣアダプター３１の引き抜きを検知して、印字ヘッド２２の発熱素子のチェックを行うことを特徴とする。【選択図】図１
2014188709.tif 000002
【特許請求の範囲】
【請求項１】
プリンターハウジングと、
このプリンターハウジングに装填される印字用紙に印字可能な印字ヘッドと、
この印字ヘッドに電力を供給可能な充電バッテリーと、を有する携帯式プリンターのヘッドチェック装置であって、
前記プリンターハウジングには、
外部電源に接続して前記充電バッテリーに充電するためのＡＣアダプターを接続するアダプター接続端子と、
このアダプター接続端子へのこのＡＣアダプターの接続および切断を検知する制御部と、を設け、
この制御部は、
前記アダプター接続端子からの前記ＡＣアダプターの引き抜きを検知して、前記印字ヘッドの発熱素子のチェックを行うことを特徴とする携帯式プリンターのヘッドチェック装置。
【請求項２】
プリンターハウジングと、
このプリンターハウジングに装填される印字用紙に印字可能な印字ヘッドと、
この印字ヘッドに電力を供給可能な充電バッテリーと、を有する携帯式プリンターのヘッドチェック装置であって、
外部電源に接続して前記充電バッテリーに充電するためのＡＣアダプターを接続するアダプター接続端子と、
前記充電バッテリーへの充電状態を検出可能な制御部を設け、
この制御部は、前記ＡＣアダプターを介した前記充電バッテリーへの充電が終了したことを検出して、前記印字ヘッドの発熱素子のチェックを行うことを特徴とする携帯式プリンターのヘッドチェック装置。
【請求項３】
前記制御部は、前記充電バッテリーへの充電率を所定の設定充電率にセット可能であり、
前記ＡＣアダプターを介した前記充電バッテリーへの前記充電率が前記設定充電率に達したことを検出して、前記印字ヘッドの発熱素子のチェックを行うことを特徴とする請求項２記載の携帯式プリンターのヘッドチェック装置。
【請求項４】
前記プリンターハウジングには、電源スイッチをさらに設けてあり、
この電源スイッチを投入している状態で、前記ＡＣアダプターを介した前記充電バッテリーへの充電を行うことを特徴とする請求項１ないし３のいずれかに記載の携帯式プリンターのヘッドチェック装置。
【請求項５】
前記制御部は、前記印字ヘッドの前記発熱素子のすべてをチェックすることを特徴とする請求項１ないし４のいずれかに記載の携帯式プリンターのヘッドチェック装置。
【請求項６】
前記プリンターハウジングには、表示部をさらに設けてあり、
前記印字ヘッドの前記発熱素子の前記チェックの結果、前記発熱素子に不具合があるときには、この表示部にアラーム表示を行うことを特徴とする請求項１ないし５のいずれかに記載の携帯式プリンターのヘッドチェック装置。
【請求項７】
前記制御部は、前記ＡＣアダプターが前記アダプター接続端子に接続されているときには、ＡＣ接続フラッグを「１」にセットするとともに、前記ＡＣアダプターが前記アダプター接続端子に接続されていないときには、このＡＣ接続フラッグを「０」にリセットすることを特徴とする請求項１ないし６のいずれかに記載の携帯式プリンターのヘッドチェック装置。
【請求項８】
プリンターハウジングと、
このプリンターハウジングに装填される印字用紙に印字可能な印字ヘッドと、
この印字ヘッドに電力を供給可能な充電バッテリーと、
外部電源に接続してこの充電バッテリーに充電するためのＡＣアダプターを接続するアダプター接続端子と、を有する携帯式プリンターのヘッドチェック方法であって、
当該携帯式プリンターの使用終了時に前記ＡＣアダプターを前記アダプター接続端子に接続し、
当該携帯式プリンターの使用開始準備時における前記アダプター接続端子からの前記ＡＣアダプターの引き抜きを検知して、
前記印字ヘッドの発熱素子のチェックを行うことを特徴とする携帯式プリンターのヘッドチェック方法。
【請求項９】
プリンターハウジングと、
このプリンターハウジングに装填される印字用紙に印字可能な印字ヘッドと、
この印字ヘッドに電力を供給可能な充電バッテリーと、
外部電源に接続してこの充電バッテリーに充電するためのＡＣアダプターを接続するアダプター接続端子と、を有する携帯式プリンターのヘッドチェック方法であって、
当該携帯式プリンターの使用終了時に前記ＡＣアダプターを前記アダプター接続端子に接続し、
当該携帯式プリンターの使用開始準備時において前記ＡＣアダプターを介した前記充電バッテリーへの充電が終了したことを検知して、
前記印字ヘッドの発熱素子のチェックを行うことを特徴とする携帯式プリンターのヘッドチェック方法。
【請求項１０】
前記充電バッテリーへの充電率を所定の設定充電率にセットしておき、
前記ＡＣアダプターを介した前記充電バッテリーへの前記充電率が前記設定充電率に達したことを検出して、前記印字ヘッドの前記発熱素子の前記チェックを行うことを特徴とする請求項９記載の携帯式プリンターのヘッドチェック方法。
【発明の詳細な説明】
【技術分野】
【０００１】
本発明は携帯式プリンターのヘッドチェック装置およびヘッドチェック方法にかかるもので、とくに外部に持ち出し、主に出先において携帯して使用する携帯式プリンターのヘッドチェック装置およびヘッドチェック方法に関するものである。
【背景技術】
【０００２】
従来から、携帯式プリンターは、屋内のみならず屋外においても使用可能であり、各種の郵便配達作業や宅配便作業、さらには電気ガスのメーター管理作業などに採用されている。
一方、携帯式プリンターに設けられている印字ヘッドは、複数本の発熱素子を列状に配置したサーマルヘッドなどを用いているのが一般的であり、ラベル連続体その他の印字用紙に印字するたびにその発熱素子に断線その他の不具合などがないかのヘッドチェックを行っている（特許文献１）。
【０００３】
さらに、携帯式プリンターは、上記印字ヘッドに電力を供給可能な充電バッテリーを有しており、外出する前にこの充電バッテリーに充電する必要がある。
しかしながら、携帯式プリンターは、外部に持ち出し、出先において携帯して使用する場合には、その出先において、充電バッテリーの不具合はもちろん、印字ヘッドの不具合が発見されても、印字ヘッドの交換など、その対応処理を直ちに取ることが困難であるという問題がある。
【０００４】
したがって、携帯式プリンターについては、その使用開始にあたって、その充電バッテリーへの充電はもちろん、印字ヘッドのチェック処理を事前に行っておくことが必要である。
しかしながら実際には、従来のように印字動作ごとに印字ヘッドのチェックを行うシステムでは、印字ヘッドのチェックのために印字を一度行わなければならないという問題がある。
すなわち、充電バッテリーの充電および印字ヘッドのチェック処理を有機的かつ確実に実行して、出先での簡易な使用形態が可能であるという携帯式プリンターの特性を活かすことができるシステムが要請されているという問題がある。
【先行技術文献】
【特許文献】
【０００５】
【特許文献１】特開２００８−１８３７７０号公報
【発明の概要】
【発明が解決しようとする課題】
【０００６】
本発明は以上のような諸問題にかんがみなされたもので、出先において携帯して使用する場合に、印字ヘッドの不具合による印字作業に支障がないようにすることができる携帯式プリンターのヘッドチェック装置およびヘッドチェック方法を提供することを課題とする。
【０００７】
また本発明は、携帯式プリンターを携帯して出発する前に印字ヘッドのチェックを確実に行うことができるようにした携帯式プリンターのヘッドチェック装置およびヘッドチェック方法を提供することを課題とする。
【０００８】
また本発明は、充電バッテリーの不具合はもちろん印字ヘッドの不具合を事前に発見可能として、携帯式プリンターの特性を活かすことができる携帯式プリンターのヘッドチェック装置およびヘッドチェック方法を提供することを課題とする。
【課題を解決するための手段】
【０００９】
すなわち本発明は、充電バッテリーに充電するために携帯式プリンターに接続するＡＣアダプターの接続および切断、あるいは充電バッテリーへの充電状態を検知して、印字ヘッドのチェックを実行することに着目したもので、第一の発明は、充電用のＡＣアダプターの着脱に関連し、プリンターハウジングと、このプリンターハウジングに装填される印字用紙に印字可能な印字ヘッドと、この印字ヘッドに電力を供給可能な充電バッテリーと、を有する携帯式プリンターのヘッドチェック装置であって、上記プリンターハウジングには、外部電源に接続して上記充電バッテリーに充電するためのＡＣアダプターを接続するアダプター接続端子と、このアダプター接続端子へのこのＡＣアダプターの接続および切断を検知する制御部と、を設け、この制御部は、上記アダプター接続端子からの上記ＡＣアダプターの引き抜きを検知して、上記印字ヘッドの発熱素子のチェックを行うことを特徴とする携帯式プリンターのヘッドチェック装置である。
【００１０】
第二の発明は、充電バッテリーへの充電状態に関連し、プリンターハウジングと、このプリンターハウジングに装填される印字用紙に印字可能な印字ヘッドと、この印字ヘッドに電力を供給可能な充電バッテリーと、を有する携帯式プリンターのヘッドチェック装置であって、外部電源に接続して上記充電バッテリーに充電するためのＡＣアダプターを接続するアダプター接続端子と、上記充電バッテリーへの充電状態を検出可能な制御部を設け、この制御部は、上記ＡＣアダプターを介した上記充電バッテリーへの充電が終了したことを検出して、上記印字ヘッドの発熱素子のチェックを行うことを特徴とする携帯式プリンターのヘッドチェック装置である。
【００１１】
上記制御部は、上記充電バッテリーへの充電率を所定の設定充電率にセット可能であり、上記ＡＣアダプターを介した上記充電バッテリーへの上記充電率が上記設定充電率に達したことを検出して、上記印字ヘッドの発熱素子のチェックを行うことができる。
【００１２】
第三の発明は、充電用のＡＣアダプターの着脱に関連し、プリンターハウジングと、このプリンターハウジングに装填される印字用紙に印字可能な印字ヘッドと、この印字ヘッドに電力を供給可能な充電バッテリーと、外部電源に接続してこの充電バッテリーに充電するためのＡＣアダプターを接続するアダプター接続端子と、を有する携帯式プリンターのヘッドチェック方法であって、当該携帯式プリンターの使用終了時に上記ＡＣアダプターを上記アダプター接続端子に接続し、当該携帯式プリンターの使用開始準備時における上記アダプター接続端子からの上記ＡＣアダプターの引き抜きを検知して、上記印字ヘッドの発熱素子のチェックを行うことを特徴とする携帯式プリンターのヘッドチェック方法である。
【００１３】
第四の発明は、充電バッテリーへの充電状態に関連し、プリンターハウジングと、このプリンターハウジングに装填される印字用紙に印字可能な印字ヘッドと、この印字ヘッドに電力を供給可能な充電バッテリーと、外部電源に接続してこの充電バッテリーに充電するためのＡＣアダプターを接続するアダプター接続端子と、を有する携帯式プリンターのヘッドチェック方法であって、当該携帯式プリンターの使用終了時に上記ＡＣアダプターを上記アダプター接続端子に接続し、当該携帯式プリンターの使用開始準備時において上記ＡＣアダプターを介した上記充電バッテリーへの充電が終了したことを検知して、上記印字ヘッドの発熱素子のチェックを行うことを特徴とする携帯式プリンターのヘッドチェック方法である。
【００１４】
上記充電バッテリーへの充電率を所定の設定充電率にセットしておき、上記ＡＣアダプターを介した上記充電バッテリーへの上記充電率が上記設定充電率に達したことを検出して、上記印字ヘッドの上記発熱素子の上記チェックを行うことができる。
【００１５】
上記プリンターハウジングには、電源スイッチをさらに設けてあり、この電源スイッチを投入している状態で、上記ＡＣアダプターを介した上記充電バッテリーへの充電を行うことができる。
【００１６】
上記制御部は、上記印字ヘッドの上記発熱素子のすべてをチェックすることができる。
【００１７】
上記プリンターハウジングには、表示部をさらに設けてあり、上記印字ヘッドの上記発熱素子の上記チェックの結果、上記発熱素子に不具合があるときには、この表示部にアラーム表示を行うことができる。
【００１８】
上記制御部は、上記ＡＣアダプターが上記アダプター接続端子に接続されているときには、ＡＣ接続フラッグを「１」にセットするとともに、上記ＡＣアダプターが上記アダプター接続端子に接続されていないときには、このＡＣ接続フラッグを「０」にリセットすることができる。
【発明の効果】
【００１９】
本発明による携帯式プリンターのヘッドチェック装置およびヘッドチェック方法においては、充電バッテリーに充電するために携帯式プリンターに接続するＡＣアダプターがそのアダプター接続端子から引き抜かれたことを検知して、あるいは、充電バッテリーへの受電状態を検知して、印字ヘッドのチェックを行うようにしたので、当該携帯式プリンターを持参して出発する前に、充電バッテリーへの充電および印字ヘッドのヘッドチェックを完了した態勢を確保することができる。
【００２０】
とくに第一の発明の携帯式プリンターのヘッドチェック装置によれば、当該携帯式プリンターを使用しようとする作業者が、作業前日にＡＣアダプターを携帯式プリンターに接続しておけば、翌朝には充電バッテリーへの充電が完了し、ＡＣアダプターを携帯式プリンターから引き抜けば、印字ヘッドのヘッドチェックを行うことになるので、携帯式プリンターを持参して出発する前に印字ヘッドの状態を確認しておくことができる。
【００２１】
とくに第二の発明の携帯式プリンターのヘッドチェック装置によれば、当該携帯式プリンターを使用しようとする作業者が、作業前日にＡＣアダプターを携帯式プリンターに接続しておけば、翌朝には充電バッテリーへの充電が完了し、この充電状態を確保した上で印字ヘッドのチェックを行うことになるので、携帯式プリンターを持参して出発する前に印字ヘッドの状態を確認しておくことができる。
【００２２】
とくに第三の発明の携帯式プリンターのヘッドチェック方法によれば、当該携帯式プリンターを使用しようとする作業者が、作業前日にＡＣアダプターを携帯式プリンターに接続してあるので、翌朝には充電バッテリーへの充電が完了し、ＡＣアダプターを携帯式プリンターから引き抜けば、印字ヘッドのヘッドチェックを行うことになるので、携帯式プリンターを持参して出発する前に印字ヘッドの状態を確認しておくことができる。
【００２３】
とくに第四の発明の携帯式プリンターのヘッドチェック方法によれば、当該携帯式プリンターを使用しようとする作業者が、作業前日にＡＣアダプターを携帯式プリンターに接続してあるので、翌朝には充電バッテリーへの充電が完了し、この充電状態を確保した上で印字ヘッドのチェックを行うことになるので、携帯式プリンターを持参して出発する前に印字ヘッドの状態を確認しておくことができる。
【図面の簡単な説明】
【００２４】
【図１】本発明の実施例によるヘッドチェック装置４３（第一の発明、第二の発明）を装備した携帯式プリンターの概略縦断面図である。
【図２】同、制御部１３のブロック図である。
【図３】同、ヘッドチェック装置４３によるヘッドチェック方法（第三の発明）のフローチャート図である。
【図４】同、ヘッドチェック装置４３によるヘッドチェック方法（第四の発明）のフローチャート図である。
【発明を実施するための形態】
【００２５】
本発明は、携帯式プリンターに接続するＡＣアダプターがそのアダプター接続端子から引き抜かれたこと、あるいは、充電バッテリーへの充電状態を検知して、印字ヘッドのチェックを行うようにしたので、当該携帯式プリンターを持参して出発する前に、充電バッテリーへの充電および印字ヘッドのヘッドチェックを完了した態勢を確保することができる携帯式プリンターのヘッドチェック装置およびヘッドチェック方法を実現した。
【実施例】
【００２６】
つぎに本発明の実施例による携帯式プリンターのヘッドチェック装置およびヘッドチェック方法を図１ないし図４にもとづき説明する。
図１は、上記携帯式プリンター１の概略縦断面図であって、携帯式プリンター１は、サーマルプリンターとしてこれを構成してあり、プリンターハウジング２と、開閉カバー３と、ラベル連続体４（印字用紙）の供給部５と、位置検出部６と、印字部７と、充電バッテリー８のバッテリー収納室９と、アダプター接続端子１０と、入力部１１と、表示部１２と、制御部１３と、電源スイッチ１４と、を有する。
【００２７】
プリンターハウジング２は、作業者が携帯可能な大きさを有し、図１中、上方にベルト掛け部１５を設けて、肩掛けベルト１６により携帯式プリンター１全体を作業者の肩から吊り下げ可能としている。もちろん、作業者の腰に装着可能とする構成とすることもできる。
さらにプリンターハウジング２には、図１中、下方隅部に位置したカバー軸１７のまわりに上記開閉カバー３を開閉可能に設けて、供給部５へのラベル連続体４の収納および携帯式プリンター１への装填を可能としている。
【００２８】
ラベル連続体４は、帯状の台紙１８上に複数枚のラベル片１９を仮着した構成である。ラベル片１９は、いわゆるサーマルラベルであって、その表面に感熱発色層を塗工して、印字可能としてある。
供給部５は、ラベル連続体４をロール状に巻いてその内部に収納し、位置検出部６および印字部７方向に帯状に繰り出し可能としている。
なお、台紙１８の裏面側には、所定ピッチで位置検出用マーク２０をあらかじめ印刷してある。
【００２９】
位置検出部６は、開閉カバー３側に取り付けた位置検出センサー２１を有し、ラベル連続体４の裏面側に位置する位置検出用マーク２０を検出して印字部７に対するラベル連続体４（ラベル片１９）の相対位置を検出可能とする。
【００３０】
印字部７は、プリンターハウジング２側に取り付けたサーマルヘッド２２（印字ヘッド）と、開閉カバー３側に取り付けたプラテンローラー２３と、サーマルヘッド２２をプラテンローラー２３方向に付勢するヘッド付勢スプリング２４と、駆動モーター２５と、を有する。
プラテンローラー２３のプラテンローラー軸２６の一方側端部にはプラテンローラーギア２７を設けるとともに、駆動モーター２５の回転を伝達するための連結ギア２８を設け、開閉カバー３のプリンターハウジング２への閉鎖により、プラテンローラーギア２７と連結ギア２８とを係合させて、駆動モーター２５によりプラテンローラー２３を回転駆動可能としている。
【００３１】
すなわち、サーマルヘッド２２およびプラテンローラー２３の間にラベル連続体４を挟持して、駆動モーター２５によりプラテンローラー２３を回転駆動するとともに、制御部１３からサーマルヘッド２２に供給した印字データに応じてサーマルヘッド２２の発熱素子（図示せず）を発熱させ、ラベル連続体４（ラベル片１９）にサーマル印字を行う。
【００３２】
プリンターハウジング２には開放用押しボタン２９を設け、開放用押しボタン２９をプリンターハウジング２の内方に押し込むことにより、ヘッド付勢スプリング２４の付勢力に抗して、サーマルヘッド２２をそのヘッド軸３０のまわりに図１中、反時計方向に回動させてプラテンローラー２３をサーマルヘッド２２から離反させ、サーマルヘッド２２およびプラテンローラー２３の間にラベル連続体４を挿通装填可能とする。
既述のように、開閉カバー３にはプラテンローラー２３および位置検出センサー２１を取り付けてあり、開閉カバー３のプリンターハウジング２からの開放回動にともなってサーマルヘッド２２から離反する。
【００３３】
充電バッテリー８は、バッテリー収納室９に収脱可能であって、上述の印字部７（サーマルヘッド２２および駆動モーター２５など）はもちろん、携帯式プリンター１全体に電力を供給する。
【００３４】
アダプター接続端子１０は、プリンターハウジング２にこれを設け、外部電源（図示せず）に接続して充電バッテリー８に充電するためのＡＣアダプター３１を接続する。
【００３５】
入力部１１は、携帯式プリンター１に必要なデータないしコマンドを入力可能とする。
表示部１２は、入力部１１により入力された情報およびその他必要な情報を表示可能とする。
【００３６】
制御部１３は、上述の位置検出部６、印字部７、充電バッテリー８、アダプター接続端子１０、入力部１１、表示部１２および電源スイッチ１４との間でデータおよびコマンドの授受を行うとともに、これらを適宜制御する。
【００３７】
図２は、制御部１３のブロック図であり、制御部１３は、ＣＰＵ３２と、ＲＯＭ３３と、ＲＡＭ３４と、移送制御回路３５と、印字制御回路３６と、用紙検出回路３７と、通信インターフェース３８と、Ｉ／Ｏポート３９と、充電電力制御回路４０と、これらを接続しているデータパス４１と、を有する。
【００３８】
ＣＰＵ３２は、ＲＯＭ３３内のプログラムに従ってＲＡＭ３４を用いて各種の検知ないし検出および制御を行う。
移送制御回路３５は、駆動モーター２５を駆動制御することにより、プラテンローラー２３の回転駆動を制御する。
印字制御回路３６は、サーマルヘッド２２に印字データを供給するとともに印字動作を制御する。
用紙検出回路３７は、位置検出センサー２１によるラベル連続体４（位置検出用マーク２０）の検出を行う。
通信インターフェース３８は、外部のパソコンその他の外部機器４２からの印字データおよびコマンドなどを受け取る。
Ｉ／Ｏポート３９は、入力部１１および表示部１２と制御部１３との間のデータおよびコマンドの授受を行う。
【００３９】
充電電力制御回路４０は、アダプター接続端子１０を介してＡＣアダプター３１を接続可能としているとともに、充電バッテリー８および電源スイッチ１４を接続してある。
【００４０】
制御部１３は、アダプター接続端子１０へのＡＣアダプター３１の接続および切断を検知可能であり、アダプター接続端子１０からのＡＣアダプター３１の引き抜きを検知して、サーマルヘッド２２の発熱素子のチェックを行う（第一の発明、第三の発明）。
あるいは、制御部１３がＡＣアダプター３１を介した充電バッテリー８への充電が終了したことを検出して、サーマルヘッド２２の発熱素子のチェックを行うように制御することもできる（第二の発明、第四の発明）。
ただし、制御部１３は、入力部１１および表示部１２を用いて、あるいは外部のパソコンその他の外部機器４２からのデータとして受け取ることにより、充電バッテリー８への充電率を所定の設定充電率にセット可能であり、ＡＣアダプター３１を介した充電バッテリー８への充電率がこの設定充電率に達したことを検出して、サーマルヘッド２２の発熱素子のチェックを行うように制御することもできる。
設定充電率としては、充電バッテリー８の寿命を考慮して、たとえば７０％程度ないし１００％までの範囲で任意の率にこれを設定可能である。
【００４１】
すなわち、本発明によるヘッドチェック装置４３（第一の発明、第二の発明）は、上述の制御部１３、ならびにそのアダプター接続端子１０へのＡＣアダプター３１の接続および切断を検知するＩ／Ｏポート３９からこれを構成する。
ただし、電源スイッチ１４を投入している状態で、ＡＣアダプター３１を介した充電バッテリー８への充電を行い、さらにヘッドチェック装置４３を作動させる。
【００４２】
図３は、ヘッドチェック装置４３によるヘッドチェック方法（第三の発明）のフローチャート図であって、ステップＳ１において、ヘッドチェック装置４３は待機監視状態にある。
ステップＳ２においてアダプター接続端子１０にＡＣアダプター３１が接続されているかを判断する。
実際の作業手順としては、作業者が携帯式プリンター１の使用終了時に（一般的にはその日の作業終了時に）、電源スイッチ１４をオンとしたままで、ＡＣアダプター３１をアダプター接続端子１０に接続することにより充電バッテリー８への充電を開始させるとともに、翌日の作業開始時に携帯式プリンター１からＡＣアダプター３１を引き抜いて出先に出発するものである。
アダプター接続端子１０にＡＣアダプター３１が接続されていれば、ステップＳ３において、ＲＡＭ３４内でＡＣ接続フラッグを「１」にセットし、ステップＳ１の待機監視状態に戻る。
【００４３】
ステップＳ２においてアダプター接続端子１０にＡＣアダプター３１が接続されていなければ、ステップＳ４において、ＡＣ接続フラッグが「１」にセットされているか否かを判断し、セットされていなければステップＳ１の待機監視状態に戻る。
【００４４】
ステップＳ４において、ＡＣ接続フラッグが「１」にセットされていれば、携帯式プリンター１にＡＣアダプター３１が接続され、所定時間後に引き抜かれたと判断して、ステップＳ５においてサーマルヘッド２２のすべての発熱素子についてのヘッドチェックを実行する。
ヘッドチェックの方式自体は、たとえば特許文献１に開示の手法その他任意のものを採用可能である。
すなわち制御部１３は、ＡＣ接続フラッグが「１」にセットされているとともにＡＣアダプター３１が引き抜かれれば、ＡＣアダプター３１を介した充電バッテリー８への充電が終了したことを検知ないし認識して、サーマルヘッド２２の発熱素子のチェックを行う。
【００４５】
このヘッドチェックの結果、ヘッドチェックが正常であれば、すなわち、すべての発熱素子が正常であれば（ステップＳ６）、ステップＳ７においてＡＣ接続フラグを「０」にリセットする。
異常があれば、ステップＳ８において表示部１２においてアラーム表示を行う。
このアラーム表示を確認することにより、当該携帯式プリンター１は、サーマルヘッド２２ないしその発熱素子部分に何らかの断線あるいは異常があるとして、サーマルヘッド２２の交換その他の必要な対処を行うことができるため、携帯式プリンター１を持参する出先でのトラブルを事前に回避することができる。
【００４６】
図４は、本発明によるヘッドチェック装置４３によるヘッドチェック方法（第四の発明）のフローチャート図であって、このヘッドチェック方法では、充電バッテリー８への充電状態を監視してサーマルヘッド２２のヘッドチェックを行う。
まず、ステップＳ１１において、入力部１１および表示部１２を用いて、あるいはパソコンその他の外部機器４２からのデータとして、充電バッテリー８への充填率を所定の設定充電率にセットする。
【００４７】
ステップＳ１２において（図３のステップＳ１と同様に）、待機監視状態にあり、ステップＳ１３において（図３のステップＳ２と同様に）、ＡＣアダプター３１がアダプター接続端子１０に接続されているかを判断し、接続されていれば、ステップＳ１４において（図３のステップＳ３と同様に）、ＡＣ接続フラッグを「１」にセットする。
【００４８】
ステップＳ１３においてアダプター接続端子１０にＡＣアダプター３１が接続されていなければ、ステップＳ１５において（図３のステップＳ４と同様に）、ＡＣ接続フラッグが「１」にセットされているか否かを判断し、セットされていなければステップＳ１２の待機監視状態に戻る。
【００４９】
ステップＳ１５でＡＣ接続フラッグが「１」にセットされていれば、つぎのステップＳ１６において、充電バッテリー８への充電率が上記設定充電率（ステップＳ１１）に達したか否かを判断し、達していれば、所定の充電が行われたと認識して、ステップＳ１７において（図３のステップＳ５と同様に）、サーマルヘッド２２のすべての発熱素子についてヘッドチェックを行う。
以下、ステップＳ１８ないしステップＳ２０において（図３のステップＳ６ないしステップＳ８と同様に）、サーマルヘッド２２が正常か否かの判断、ＡＣ接続フラグのリセット、さらには、必要であればアラーム表示を行う。
【００５０】
かくして、充電バッテリー８の充電状態を検知監視することによっても、充電バッテリー８への充電およびサーマルヘッド２２のヘッドチェックを確実に実行し、携帯式プリンター１を持参する出先でのトラブルを事前に回避することができる。
【符号の説明】
【００５１】
１  携帯式プリンター（図１）
２  プリンターハウジング
３  開閉カバー
４  ラベル連続体（印字用紙）
５  供給部
６  位置検出部
７  印字部
８  充電バッテリー
９  バッテリー収納室
１０  ＡＣアダプター３１を接続するアダプター接続端子
１１  入力部
１２  表示部
１３  制御部（図２）
１４  電源スイッチ
１５  ベルト掛け部
１６  肩掛けベルト
１７  開閉カバー３のカバー軸
１８  ラベル連続体４の台紙
１９  ラベル片
２０  位置検出用マーク
２１  位置検出センサー
２２  サーマルヘッド（印字ヘッド）
２３  プラテンローラー
２４  ヘッド付勢スプリング
２５  駆動モーター
２６  プラテンローラー２３のプラテンローラー軸
２７  プラテンローラー２３のプラテンローラーギア
２８  連結ギア
２９  開放用押しボタン
３０  サーマルヘッド２２のヘッド軸
３１  ＡＣアダプター
３２  ＣＰＵ
３３  ＲＯＭ
３４  ＲＡＭ
３５  移送制御回路
３６  印字制御回路
３７  用紙検出回路
３８  通信インターフェース
３９  Ｉ／Ｏポート
４０  充電電力制御回路
４１  データバス
４２  パソコンその他の外部機器
４３  携帯式プリンター１のヘッドチェック装置（実施例、図１）
【図１】
2014188709.tif 000003
【図２】
2014188709.tif 000004
【図３】
2014188709.tif 000005
【図４】
2014188709.tif 000006